(57)【要約】      （修正有）【課題】製品が最終的な使用者に届いた後、情報が収集不可能になる、または情報を収集するのが難しくなる、無線周波数認証（ＲＦＩＤ）装置を提供する。【解決手段】ＲＦＩＤ装置は、第１の、比較的、永続性部分および第２の変更可能な、または非働化可能部分を含む。一部の所定の出来事の出現後、第２の部分、および／または第１の部分に結合している第２の部分は、物理的に変更し、非働化される。第１の部分は、それ自体、狭い範囲にて読み取られ得るアンテナ無しのＦＲＩＤ装置であり得、第２の部分は、第１の部分に結合される場合、第１の部分が読み取られ得る範囲をはるかに広まるアンテナであり得る。第２の部分は、ＲＦＩＤ装置、またはＲＦＩＤ装置が結合される物のどちらかに対して行われる、物理的、化学的または電気的な力を含むような任意の様々な出来事によって、変更または非働化されるように構成され得る。【選択図】図１
2010257478.tif 000002
【特許請求の範囲】
【請求項１】
無線周波数認証（ＲＦＩＤ）装置であって、該装置は、
トランスポンダーチップと、
該チップと結合されるアンテナとを備え、
該チップと該アンテナの少なくとも一部分との間の結合は、所定の出来事が起こると変更可能であり、
該ＲＦＩＤ装置は、該チップと該アンテナの少なくとも一部分との間の該結合が変更されるか否かに応じて、異なった電気的な特性を有し、
該ＲＦＩＤ装置は、該所定の出来事が起こると変更される変更可能部分を含み、
該所定の出来事は、該ＲＦＩＤ装置をあるタイプの力にさらすことを含む、装置。
【請求項２】
前記所定の出来事は、前記ＲＦＩＤ装置の少なくとも一部分に電気的な力を作用させることを含む電気的な出来事を含む、請求項１に記載のＲＦＩＤ装置。
【請求項３】
前記ＲＦＩＤ装置は、電気的な装置に結合され、該電気的な装置は、回路が動作すると、該ＲＦＩＤ装置の全体または一部分に電力を供給する、請求項２に記載のＲＦＩＤ装置。
【請求項４】
前記ＲＦＩＤ装置の一部分は、非働化される、請求項３に記載のＲＦＩＤ装置。
【請求項５】
前記ＲＦＩＤ装置の一部分は、変更される、請求項３に記載のＲＦＩＤ装置。
【請求項６】
前記所定の出来事は、前記ＲＦＩＤ装置の少なくとも一部分に所定の物理的な力を作用させることを含む、請求項１に記載のＲＦＩＤ装置。
【請求項７】
前記所定の物理的な力は、張力を含む、請求項６に記載のＲＦＩＤ装置。
【請求項８】
前記所定の物理的な力は、遠心力を含む、請求項６に記載のＲＦＩＤ装置。
【請求項９】
前記所定の物理的な力は、前記ＲＦＩＤ装置の複数の部分を物理的に分離するための分断力を含む、請求項６に記載のＲＦＩＤ装置。
【請求項１０】
前記変更可能部分は、前記アンテナの実質的に全体を含む、請求項１〜９のいずれか一項に記載のＲＦＩＤ装置。
【請求項１１】
前記変更可能部分は、前記アンテナの少なくとも１つの可融性リンクを含む、請求項１〜９のいずれか一項に記載のＲＦＩＤ装置。
【請求項１２】
前記変更可能部分は、前記ＲＦＩＤ装置の基板の実質的に全体を含む、請求項１〜９のいずれか一項に記載のＲＦＩＤ装置。
【請求項１３】
前記変更可能部分は、前記チップを含む、請求項１〜９のいずれか一項に記載のＲＦＩＤ装置。
【発明の詳細な説明】
【技術分野】
【０００１】
本発明は、無線周波数認証（ＲＦＩＤ）タグおよびラベル検出システムの分野に関し、および、ＲＦＩＤタグおよびラベルの検出方法に関する。
【背景技術】
【０００２】
無線周波数認証（ＲＦＩＤ）タグ、およびラベル（ここにて、集合的に、「装置」と参照する）は、認識コードを物体を関連付けて幅広く使用される。ＲＦＩＤ装置は、通常、アンテナと、通信電子機器、データメモリ、および制御ロジック等を含みえるアナログおよび／またはデジタル電子機器との組み合わせを有する。例えば、ＲＦＩＤタグは、車の安全ロック、ビルへの侵入制御、および、在庫および小包の追跡と関連して使用される。ＲＦＩＤタグおよびラベルの一部の例は、米国特許第６，１０７，９２０号、第６，２０６，２９２号、および第６，２６２，２９２号にて掲載され、全ては、ここにて援用される。
【０００３】
上記のように、ＲＦＩＤ装置は、通常、ラベルおよびタグとして分類される。ＲＦＩＤラベルは、粘着性の、またはそうでなければ、物体に直接付着される表面を有するＲＦＩＤ装置である。反対に、ＲＦＩＤタグは、例えば、プラスチックのファスナー、紐、または他の固定方法の使用等の他の方法によって、物体（ｏｂｊｅｃｔ）に固定されている。それにもかかわらずなお、ＲＦＩＤ装置は、ここにて、「タグ」と「ラベル」に置き換えられて参照される。
【０００４】
ＲＦＩＤ装置は、電源を有するアクティブタグ、およびアクティブラベル、および、電源を有さないパッシブタグ、およびパッシブラベルを含む。パッシブタグに関して、チップから情報を取り出すために、「基地局」または「リーダー」は、ＲＦＩＤタグまたはラベルへ励振信号を送る。励振信号は、タグまたはラベルを作動させ、ＲＦＩＤ回路網は、リーダーへ、保存された情報を送信する。「リーダー」は、ＲＦＩＤタグから情報を受信し、復号する。一般的に、ＲＦＩＤタグは、個人、小包、在庫等を特有に識別するために、十分な情報を、維持し、送信することが出来る。ＲＦＩＤタグおよびラベルは、情報が一度しか書かれていないものとして（情報は繰り返し読み取られ得るが）、または、情報が使用中に書かれ得るものとして、特性付けられることができる。例えば、ＲＦＩＤ装置は、環境データ（それに関係するセンサーによって検出され得る環境データ）、ロジスティックなヒストリー、状態データ等を保存し得る。
【０００５】
ＲＦＩＤ装置検出にて、起動、読み取り、および／または無線電波（ＲＦ）フィールドは、通常、比較的広範囲、つまりフリースペースの間にて送られる。従って、装置の検出は、かなりの大きさの領域で成し遂げられ、装置の読み取りおよび検出においての空間的な限定は困難であり得る。
【０００６】
ＲＦＩＤに関する提起される１つの問題は、比較的長い距離においての読み取られる能力が、ＲＦＩＤ装置が付着する、またはそうでなければ、結合される物体を有する人のプライバシー問題が巻き込まれることである。
【０００７】
さらに、ＲＦＩＤ装置は、最終的な使用者へ製品を提供することにおいて、商業的な手段に利用される商業的に機密な情報を含みえる。製品が最終的な使用者に届いた後、この情報が収集不可能になる、またはこの情報を収集するのが難しくなることを望まれ得る。
【０００８】
追跡可能問題、他のプライバシーに関する問題、商業的に機密な情報の氾濫問題が、一部の使用者をＲＦＩＤ装置使用から遠のかせられ得ることは、察せられる。よって、ＲＦＩＤ装置にとって上記の問題点を避けることが望まれるのは、察せられる。
【発明の概要】
【課題を解決するための手段】
【０００９】
本発明の局面に従って、ＲＦＩＤは、変更可能な特性を有する一部分を少なくとも含む。
【００１０】
本発明の他の局面に従って、ＲＦＩＤ装置は、第１の部分、および、非働化可能な（ｉｎａｃｔｉｖａｔａｂｌｅ）第２の部分を有する。第２の部分が非働化されない場合、装置は、第２の部分が非働化される場合と比べて、広い範囲にて読み取られ得る。
【００１１】
また、本発明の他の局面に従って、ＲＦＩＤ装置は、第１の部分および非働化可能な第２の部分を含み、非働化可能な第２の部分はアンテナを含む。第２の部分が非働化されても、ＲＦＩＤ装置は、狭域にて読み取られ得る。
【００１２】
本発明のさらなる局面に従って、ＲＦＩＤ装置は、第１の部分、および非働化可能な第２の部分を含み、第２の部分は、適切な溶液との接触によって非働化され得る。溶液は、基板、および／または基板上に配置される材料のような非働化可能な第２の部分の少なくとも一部分を分解する水等の物質であり得る。
【００１３】
本発明のよりさらなる局面に従って、ＲＦＩＤ装置は、事前に決定される特性を有する適切な材料との接触によって非働化される非働化可能な部分を含む。例えば、第２の部分は、指定される水温以下の水へのさらしによっては非働化されず、特定の水温以上の水へのさらしによって非働化され得る。他の例として、非働化可能な部分は、添加剤を含まない水へのさらしによっては非働化されず、添加剤を含む水へのさらしによって非働化され得る。
【００１４】
本発明の他の局面に従って、ＲＦＩＤ装置は、第１の部分、および非働化可能な第２の部分を含み、第１の部分は、溶液、侵食、または、他の汚染物質および／またはダメージを引き起こす可能性のある状況との接触を防ぐために、密閉される。
【００１５】
本発明の他の局面に従って、ＲＦＩＤ装置は、衣服のようなＲＦＩＤ装置が付着、またはそうでなければ、結合される物体の洗濯時において、特性が変化するように構成される。
【００１６】
本発明のよりさらなる局面に従って、ＲＦＩＤ装置は、第１の部分および非働化可能な第２の部分を含み、非働化可能な第２の部分は、所定の境界に沿って第１の部分から物理的に分離され得る。
【００１７】
本発明のさらなる局面に従って、ＲＦＩＤ装置は、第１の部分、および非働化可能な第２の部分を含み、第２の部分は、ＲＦＩＤ装置が結合される物体の通常使用によって非働化される。
【００１８】
本発明のよりさらなる局面に従って、無線周波数認証（ＲＦＩＤ）装置は、第１の部分、および第１の部分に機能的に結合される第２の部分を含む。第２の部分は、所定の出来事（ｅｖｅｎｔ）の出現後に変更される。装置は、第２の部分が変更されるか否かによって、異なった電気的な特性を有する。
【００１９】
本発明の他の局面に従って、物体に情報を関連させる方法は、物体に、物体の予期される使用中にて、電気的な特性を変化するように構成されるＲＦＩＤ装置を結合すること、および使用者へ該物体を移動することを含む。
【００２０】
本発明のよりさらなる他の局面に従って、物体に関する情報のアクセス可能性を少なくとも減少させる方法は、ＲＦＩＤ装置に結合される物体を受け取ることであって、ＲＦＩＤ装置は、物体の通常使用に関する所定の出来事の出現によって、変化される該ＲＦＩＤ装置の読み取り特性を有するように構成されることと、および、通常の手段にて物体を使用することによって、該装置の読み取り特性を変化させることとを含む。
【００２１】
本発明のよりさらなる他の局面に従って、無線周波数認証（ＲＦＩＤ）装置は、トランスポンダーチップと、チップと結合されるアンテナを含む。チップとアンテナの少なくとも一部間の結合は、所定の出来事の出現後、変更可能である。装置は、チップとアンテナの少なくとも一部間の結合が変更されるか否かによって、異なった電気的な特性を有する。
【００２２】
前述の、または関連する結果を遂行するために、本発明は、明細書内にて記載される、特に請求項内にて指摘される特徴を備える。後述の記載、および、添付の図面は、特定の本発明の例示的実施形態を詳細にわたって、明記する。それらの実施形態は、直接的であるが、本発明の意図が利用され得る中において、多様な方法がある。本発明の他の目的、有効、および新しい特徴は、添付の図面と考慮される場合、後述の発明を実施するための最良の形態から明らかになる。添付の図面は、縮小比に従う必要はない。
【図面の簡単な説明】
【００２３】
【図１】本発明に従う、ＲＦＩＤ装置の平面図である。
【図２】図１の装置の一部であり得る従来技術のインターポーザー、またはストラップの横からの断面図である。
【図３】衣服に利用される図１のＲＦＩＤ装置である。
【図４】可溶性基板を有する図１の装置の１つの実施形態の平面図である。
【図５】可溶性部分を有するアンテナを有する図１の装置の他の実施形態の平面図である。
【図６】１つ以上の可溶性アンテナリンクを有する図１の装置のまた他の実施形態の平面図である。
【図７】密閉材料を含む図１の装置の実施形態の平面図である。
【図８】分断されるように構成される図１の装置の実施形態の平面図である。
【図９Ａ】容器に付着する図８の装置を示す。
【図９Ｂ】容器に付着する図８の装置の他の実施例を示す。
【図１０】物体の使用中において、多様な物理的な力の下にあり、またその物体に結合する本発明のＲＦＩＤ装置を有する様々な物体の図である。
【図１１】物体の使用中において、多様な物理的な力の下にあり、またその物体に結合する本発明のＲＦＩＤ装置を有する様々な物体の図である。
【図１２】物体の使用中において、多様な物理的な力の下にあり、またその物体に結合する本発明のＲＦＩＤ装置を有する様々な物体の図である。
【図１３Ａ】ＲＦＩＤ装置の部分に保護コーティングが施された本発明のＲＦＩＤ装置を示す平面図である。
【図１３Ｂ】装置の張力によって変更される電気的な特性を有する本発明のＲＦＩＤ装置の一部分の平面図である。
【図１４】本発明のＲＦＩＤ装置と電気回路を有する物体との間の電気的結合を示す概略図である。
【図１５】可融性な電気的接続を有する本発明に従うＲＦＩＤ装置の平面図である。
【図１６】コンピュータに組み入れられる図１５の装置の概略図である。
【図１７】変更可能ＲＦＩＤチップを有する本発明に従うＲＦＩＤ装置の平面図である。
【図１８】携帯電話に組み入れられる変更可能ＲＦＩＤチップを有するＲＦＩＤ装置の概略図である。
【図１９】電池式装置に組み入れられる本発明に従うＲＦＩＤ装置の平面図である。
【図２０】変更可能な特性を有する本発明に従うセミパッシブＲＦＩＤ装置の平面図である。
【発明を実施するための形態】
【００２４】
ＲＦＩＤ装置は、第１の、比較的、永続性部分および第２の変更可能な、または非働化可能部分を含む。一部の所定の出来事の出現後、第２の部分、および／または第１の部分に結合している第２の部分は、物理的に変更し、非働化される。第１の部分は、それ自体、狭い範囲にて読み取られ得るアンテナ無しのＦＲＩＤ装置であり得、第２の部分は、第１の部分に結合される場合、第１の部分が読み取られ得る範囲をはるかに広まるアンテナである得る。第２の部分は、ＲＦＩＤ装置、またはＲＦＩＤ装置が結合される物のどちらかに対して行われる任意の様々なタスクによって、変更または非働化されるように構成され得る。第２の部分が非働化され得る行いの例は、洗濯時にて使われる水のような適当な溶液に対してのさらし、第１の部分から第２の部分の引き裂き、そうでなければ第１の部分から第２の部分の物理的な分離、ＲＦＩＤが結合される物の通常使用の一部であり得る物理的な力の他の適用、および電気力の適用を含む。
【００２５】
本発明の広い全体像のさらなる説明において、ＲＦＩＤ装置は、集積回路のような電子回路（チップとして本明細書にて参照もされる）、１以上のアンテナ要素を有するアンテナ、および、電子回路とアンテナ間の電気結合、または電気接続を含み得る。ＲＦＩＤ装置は、一部の所定の出来事の出現後にＲＦＩＤ装置の機能を変更する、または抑止する変更可能部分を含む。ここに使用される用語である「所定の出来事」は、通常の移動または使用時には出現しないであろうものではなく、ＲＦＩＤが結合される物の通常の移動または使用時にて出現するであろう一部の出来事と規定される。所定の出来事は、物理的、化学的または電気的出来事であり得る。変更可能部分は、例えば、水または水と洗濯洗剤の組み合わせのような、一部の溶液の存在にて溶ける可溶性部分、例えば可溶性アンテナ部分であり得る。変更可能部分は、適当な反応物にさらす場合、構成部分（従って、電気結合の特性）を変化させる電気結合の一部分であり得る。変更可能部分は、張力または衝撃力の下に置かれる場合、電気的特性を（しぼめること、または破壊すること等によって）変更、または変化させる結合、またはアンテナの一部分であり得る。変更可能部分は、残りのＲＦＩＤ装置から裂かれる、または物理的に分離される部分を含み得る。変更可能部分は、ＲＦＩＤ装置が結合される、またはＲＦＩＤ装置の一部である電気装置、または電子装置の始動等の適当な電気的出来事によって、機能を変更させるように構成される部分を含み得る。電気的出来事は、例えば、ＲＦＩＤ装置のアンテナの一部を変更、または切断し得、または、ＲＦＩＤ装置のチップの機能を抑止、または変更し得る。
【００２６】
変更可能部分の変更は、ＲＦＩＤ装置を完全に機能しなく（読み取り不可、または検出不可）させ得る。代替的に、変更可能部分の変更は、変更される特性を有して、ＲＦＩＤ装置を引き続き機能させ得る。例えば、変更される特性は、ＲＦＩＤ装置が読み取られ得る、または検出され得る距離の短縮を含み得る。これは、アンテナから、結合しているＲＦＩＤチップを分離することによって、または、ＲＦＩＤチップに有効に結合されるアンテナの数を減らすことによってなし得る。たとえＲＦＩＤチップがアンテナから結合分離（ｄｅｃｏｕｐｌｅ）する場合においても、ＲＦＩＤチップは、インターポーザーまたはストラップとの結合を維持され得、それは、ＲＦＩＤ装置の狭域検出を許し得る。
【００２７】
ＲＦＩＤ装置の比較的永続性部分は、近接の検出器によって読み取られ得るアンテナ無しの装置を含み得る。ここに用いられるように、用語の「アンテナ無し」は、遠隔、遠距離読み取りのＲＦエネルギーを受信する能力のあるアンテナが欠如している装置を広く参照する。アンテナ無しの装置を特性付けるにおいて、よく知られるアンテナ付きの構造と比較すると有用である。よく知られるアンテナ付きの構造の例は、アンテナとＲＦＩＤチップ間の良いインピーダンス整合を有するダイポール・アンテナである。良いインピーダンス整合は、アンテナとチップ間の良い電力伝送を提供する。ダイポール・アンテナは、パーフェクトアンテナと比較して、約２ｄＢｉのアンテナ利得（全方向、同等に放射する等方性放射対と比較するデシベル）を有する。完全なインピーダンス整合状況において、アンテナによって受信される全電力は、ＲＦＩＤチップに送られる。パーフェクトアンテナまたはインピーダンス整合の取れたダイポール・アンテナを有する上記の構造と比較して、「アンテナ無し」の構造は、不十分に機能する。そのような不十分な機能履行は、部分的に、本来的に低いアンテナ利得のため（ＲＦエネルギーの波長と比較して、構造の小さな物理的な寸法のため）であり得る。アンテナ無しの構造の不十分な機能履行においての他の要因は、さらなる電力損失として現れる、チップと接続される伝導体（伝導性のあるリード線のような）間の不十分なインピーダンス整合であり得る。従って、アンテナ無しのＲＦＩＤ装置において、ＲＦエネルギーを受信するだろうと思われる伝導体構造の小さなサイズのため、および／または、伝導体構造と装置のチップ間の電力伝送の効率を制限する不十分なインピーダンス整合のため、損失があり得る。
【００２８】
ここに使用される用語として、アンテナ無しのＲＦＩＤ装置は、トランスミッタの遠距離（以下に規定される）に配置される場合、構造に付着される装置のＲＦＩＤチップが、インピーダンス整合の取れたダイポール・アンテナと比べて電力を−２０ｄＢ吸収するような構造を有する装置と規定される。言い換えれば、アンテナ無しの装置の構造は、ＲＦトランスミッタが遠距離に配置される場合、インピーダンス整合の取れたダイポール・アンテナがＲＦＩＤチップに提供する１％、またはそれ以下の電力を付着されるＲＦＩＤチップへ提供する。
【００２９】
アンテナ無しのＲＦＩＤ装置は、比較的少ない遠距離ＲＦ放射を用いて、狭域ＲＦを発生する装置である近接のロケーターの使用を介して動かされ得る。ここにて使用される遠距離は、ＵＨＦ  ＲＦエネルギーを放出する装置のようなＲＦエネルギー放出装置から約１５ｍｍ以上の距離と表される。遠距離においてのＲＦＩＤ装置の結合は、また、「広域結合」とも参照される。狭域結合が起こり得る近距離は、ＲＦエネルギー装置から約１５ｍｍ以下として規定される。近距離においてのＲＦＩＤ装置の配置は、また、近接のロケーターまたは近接のロケーターの部品に対して「近い近接」においての装置の配置としてもここで参照される。
【００３０】
上記参照のＵＨＦ  ＲＦエネルギーの例は、８６０ＭＨｚから９５０ＭＨｚの範囲においてのＲＦエネルギーである。しかしながら、ＵＨＦ  ＲＦ周波数以外の周波数を含む広く多様な他のＲＦ周波数が、利用され得ることは理解される。例えば、高い周波数が利用される場合、ＲＦエネルギー放出装置からの狭域結合の圏外範囲制限は、縮小され得ることは察せられるが、約２〜３ＧＨｚの周波数が利用され得る。
【００３１】
アンテナ付き、またはアンテナ無しのＲＦＩＤ装置の存在を検出するためのロケーターの近接検出器は、伝導体間、または伝導体領域において適度な電界を引き起こす２つ以上の伝導体を含み得る。伝導体は、ＲＦＩＤ装置へ電流を提供するために、または、そうでなければＲＦＩＤ装置と影響しあうためにＲＦＩＤ装置に結合され得、それは、電界領域においての装置の検出を可能にする。
【００３２】
近接装置、またはロケーターに関するさらなる情報は、米国出願第１０／４０６，７０２号にて見つけられ得、ここにて全てにわたって援用される。
【００３３】
まず、図１を参照し、変化可能な特性を有するＲＦＩＤ装置１０が示される。ＲＦＩＤ装置１０は、比較的永続的な読み取り特性を有する第１の部分１２、および非働化可能特性または、そうでなければ特性を変化する第２の部分１４を有する。
【００３４】
第１の部分１２は、ストラップまたはインターポーザー２２のようなアンテナ無しの装置２０を有する第１の部分基板１８を含む。インターポーザーまたはストラップ２２は、伝導性リード線２６および２８に接続されるチップ２４（マイクロチップとしても参照される）を含む。
次に、図２の参照と共に、インターポーザーまたはストラップ２２の詳細がさらに記載される。上記のように、インターポーザーまたはストラップ２２は、チップ２４および伝導性リード線２６と２８を含む。リード線２６および２８は、チップ２４のチップ接触３０に適切に結合する。チップ２４は、ここにて加えて、「電子要素」としても参照され得る。チップ２４は、ＲＦＩＤ装置１０のインピーダンス調節のための上記の電気回路網のような、任意の多様な適切な電子構成部分を含み得る。
【００３５】
リード線２６および２８は、金属箔のような電気的に伝導性のある材料で完全に作られ得る。代替的に、リード線２６および２８は、例えば、プラスチックで覆われた金属のような電気的に絶縁性の材料を含み得る。インターポーザーまたはストラップ２２は、リード線２６および２８が付着するインターポーザー基板３４を含み得る。インターポーザー基板３４は、例えば、ＰＥＴ，ポリプロピレンまたは他のポリオレフィン、ポリカーボネート、または、ポリスルホンのような適当な可撓性のある高分子材料のような、任意の多様な適当な材料で作られ得る。代替的または付加的に、インターポーザー基板３４は、金属または金属箔のような伝導性のある材料を含み得る。
【００３６】
インターポーザーまたはストラップ２２は、任意の多様な商業的に入手可能なインターポーザー、またはストラップであり得る。実施例は、Ａｌｉｅｎ  Ｔｅｃｈｎｏｌｏｇｉｅｓから入手可能なＲＦＩＤインターポーザー、またはストラップ、および、ＩＣＯＮＮＥＣＴとして販売されているＰｈｉｌｉｐｓ  Ｅｌｅｃｔｒｏｎｉｃｓから入手可能なインターポーザ―、またはストラップを含む。代替的に、インターポーザ―、またはストラップ２２は、商業的に入手可能なインターポーザー、またはストラップ以外のものであり得る。
【００３７】
リード線２６および２８は、約７ｍｍの長さを有し得る。長さ７ｍｍのリード線を有するアンテナ無しのＲＦＩＤ装置は、２０ＧＨｚ程度の非常に高い周波数でのＲＦエネルギーを受信するために適当であるが、ここにて用いられる定義内のアンテナとは考慮されない。
【００３８】
より幅広く、リード線は、前述されたように費用面にて最短化するのが望ましいが、動作周波数の波長の１０分の１までの長さであり得る。例えば、動作周波数９１５ＭＨｚに対応する波長３２７．８ｍｍの場合、リード線は、３３ｍｍまでの長さを有し得る。
【００３９】
用語、「インターポーザー」および「ストラップ」は、実施形態記載のものだけに限定されないことは、理解される。ここに用いられる用語「インターポーザー」および「ストラップ」は、伝導性リード線に結合されるマイクロチップ、または他の電子回路網を含む装置を、幅広く表す。伝導性リード線は、任意の多様な適当な方法によって、マイクロチップ上の接触部、または他の回路網に結合され得る。
【００４０】
第２の部分１４は、アンテナまたはアンテナ４２の一部が、その上に設けられる第２の部分基板４０を含む。アンテナ４２は、第１の部分１２の一部であるアンテナ無しの装置２０に結合される。そしてアンテナ４２は、アンテナ無しの装置２０に結合され、アンテナ無しの装置２０のみでの検出と比較して、より広域なＲＦＩＤ装置１０の検出を可能にする。
【００４１】
第２の部分１４は、１以上の所定の出来事の出現後、非働化可能であり得、そうでなければ、機能中の特性を変化され得る。出来事は、第１の部分１２と第２の部分１４間の境界４６に沿っての引き裂き、切断、または裂くことのような行為によっての、第１の部分１２から第２の部分１４の物理的な分離を含み得る。代替的に、より詳細に下記されるように、物理的、電気的、または化学的な処理は、非働化のため、または、そうでなければ第２の部分１４に対しての特性を変化するために利用され得る。第２の部分１４が非働化され得る、または、そうでなければ変化される多様な方法の実施例は、下に記載される。
【００４２】
第２の部分１４は、アンテナ４２を含むように上記される。非働化可能部分はアンテナ以外のものであり得ることは察せられる。例えば、非働化可能部分は、アンテナのほんの一部であり得、それによってＲＦＩＤ装置の範囲、または他の特性が変化する。非働化可能部分は、１以上のＲＦＩＤ装置の構成部分であり得、それによって、ＲＦＩＤ装置の動作周波数が、装置の非働化可能部分の非働化によって変更される。例えば、装置の非働化可能部分の非働化は、９１５ＭＨＺから２４５０ＭＨｚのように、装置の動作周波数を変化させ得る。
【００４３】
広く多様な代替手段が、ＲＦＩＤ装置１０の構成内にて生み出され得ることは察せられる。例えば、ＲＦＩＤ装置１０は、任意の多様な適当なアンテナの配置を有し得、および、広く多様な他の適当な構造、および／または構成を有し得る。
【００４４】
他の代替手段として、装置の遠隔読み取り能力が、第２の部分１４のような非働化部分の非働化によって完全に破壊されるように、ＲＦＩＤ装置１０は、構成され得る。そのような装置は、非働化時にて、接触方法によってのみ、すなわち、チップ２４との実際の物理的な接触を含む方法によってのみ、検出可能、および／または読み取り可能であり得る。
【００４５】
図３を参照し、ＲＦＩＤ装置１０は、衣服５０のような洗濯可能な物、例えば、衣服５０のラベル５２の上、または内に結合され得る。例えば、ラベル５２は、熱的に変形可能なラベルであり得る。衣服５０が洗濯される場合に非働化されるように、装置１０の第２の部分１４は、構成され得る。
【００４６】
そのような装置の一実施例として、図４に示すように、第２の部分基板４０は、適当な溶液にさらされる場合、分解する可溶性材料６０を含み得る。例えば、可溶性基板６０は、水へさらす時、分解または、そうでなければ破損するライスペーパー、または他の適当な材料のような、水可溶性材料であり得る。洗濯可能物５０が洗濯される、またはそうでなけれな、水にさらされる場合、可溶性基板６０は、破損し、よって、第２の部分１４の完全性は壊され、アンテナ４２は、分離される。しかしながら、アンテナ無しの装置２０を含む部分のような第１の部分１２の少なくとも一部分は、上記されたように、アクティブ性を維持するように構成され得、近接のロケータ―または検出器の使用を介して読み取り可能であり得る。
【００４７】
ラベル５２は、テキスト、および／または図を表示する印刷可能層のような、他の層を含み得る。テキストおよび／または図が、可溶性基板６０の分解後においてもまだ眺められるように、可溶性基板６０のような可溶性層は、印刷可能層にラミネートされ得る。
【００４８】
他の代替手段が、図５にて示される。その代替手段は、アンテナ４２が、水、または他の適当な溶液にて溶ける可溶伝導性のある材料で作られる部分６１を少なくとも含む方法である。適当な可溶伝導性の材料の実施例は、米国特許番号第５，２８６，４１５号および、第５，８５５，８２０号にて記載されるような、可溶性インクを含み、ここにて全体に援用される。アンテナ４２は、第２の部分１４の基板４０上に伝導性のインクを印刷することによって形成され得る。
【００４９】
図６にて示される具体的な実施形態にて、アンテナ部分６１は、１以上の可溶性の伝導性のリンク６２であり得る。可溶性の伝導性のリンク６２の除去は、アンテナ４２を作動しないようにし得、または、第１の部分１２からアンテナ４２を結合分離し得る。代替的に、アンテナ４２の電気的な特性を単に変更するように、可溶性の伝導性のリンク６２は、適当に設けられ得る。
【００５０】
第１の部分基板１８、および第２の部分基板４０は、適当な材料、例えば、基板３４のストラップ２２の上においての説明時（図２）のような、適当な可撓性のある高分子材料を含み得る。
【００５１】
図４にて示される実施形態において、第１の部分基板１８は、第２の部分基板４０の材料とは異なった材料であり得る。代替的または付加的に、図７の参照と共に、密閉材料６４は、例えば、第２の部分１４を作動しないようにするために用いる水、または他の溶液へのさらしからインターポーザー、またはストラップ２２を保護するために、第１の部分１２の全体または一部を密閉するのに用いられ得る。密閉材料６４は、適当なエポキシ樹脂または接着材料であり得る。
【００５２】
洗濯によって部分的に非働化され得るＲＦＩＤ装置１０は、衣服に様々な状況にて有利に使用され得ることは察せられる。例えば、アクティブな第２の部分１４を有する、完全に機能しているＲＦＩＤ装置１０は、遠距離地域のような比較的広範囲にて、販売前の衣服５０を追跡するのに用いられ得る。例えば、広域検出は、在庫コントロール追跡、能率的な購買効果の情報の収集促進、および／または盗難防止の点から、望まれ得る。洗濯中の第２の部分１４の破壊は、ＲＦＩＤ装置１０を邪魔にならなくし得る。例えば、装置のサイズ、および／または固さを減らすことが、衣服５０を使用する者の快適度を改善する。加えて、ＲＦＩＤ装置１０の広域検出能力を除去、または変化することは、衣服５０を身に付ける者の、または使用する者のプライバシーを維持することを促進するのに有利であり得る。第２の部分１４が非働化された場合においてさえも、ＲＦＩＤ装置１０の狭域追跡方法を有することが、なお、望まれ得る。ＲＦＩＤ装置１０のそのような狭域検出は、例えば、衣服の返品処理において、衣服５０が本物であるという証明をするのに役立ち得る。例えば、近接のロケーターまたは検出器は、衣服５０が購入された同じ店に返品されたことを確認するために、近距離域において、アンテナ無しの装置２０からの情報を読みとるのに用いられ得る。
【００５３】
他の代替手段は、所定の出来事の出現後、完全に、実質的に破壊されるよう、装置１０は、構成される。例えば、装置の全基板は、ライスペーパーのような水溶解性材料にて作られ得る。インターポーザーまたはストラップのような装置の小さい部分は、ＲＦＩＤ装置１０が結合される洋服の洗濯のような、所定の出来事の後、残り得る。装置の全基板が完全に水可溶性材料にて作られるような装置の構成は、前述の有効性、すなわち、装置を備えた衣服の使用者の快適度を改善するために、サイズおよび／または固さを減らすことに関して、特に有効方法である。
【００５４】
多数の変化が、利用される材料、および／または溶液において可能であることは察せられる。例えば、第２の部分１４においての第２の部分基板４０、および／またはアンテナ４２の材料は、水以外の材料との接触の反応において、非働化するように、またはそうでなければ、特性を変化するように構成され得る。例えば、第２の部分１４は、カーボンテトラクロライドのようなドライ洗濯にて使用される材料との接触との反応において、非働化するように、構成され得る。代替的に、第２の部分１４は、特定最低温度の水へのさらし、または、適当な洗濯洗剤を含む水へのさらしによって非働化されるように構成され得る。そのような特徴は、ＲＦＩＤ装置１０の広域読み取り能力の望まれない、事故的な、または意図的な非働化の確立を減らすために、または、衣服５０の適切な洗濯が行われたかの確認方法として、利用され得る。例えば、病院内で使用される衣服は、最低温度の水にて洗濯された場合のみ部分的、または完全に非働化されるように構成され得る。洗濯済み衣服の広域検出は、ＲＦＩＤ装置の広域読み取り能力を保っているので、適切に洗濯がされていない衣服を識別するのに用いられ得る。
【００５５】
水溶解性材料の水溶解度は、可溶性インクにて利用されるポリマーの分子量を変化することによって、例えば、ポリマーの架橋の制御によって、変化し得る。分子量の数倍の増加のような、適当分のポリマーの架橋の増加によって、水溶解性の材料が、冷たい水において、実質的に、不溶解性になり得るが、熱い水（ｈｏｔ  ｗａｔｅｒ）においては、溶解性を保ち得る。前述された、米国特許第５，２８６，４１５および第５，８５５，８２０は、水溶解性と水不溶解性の疎水性ポリマーとを合体する方法を開示する。水溶解度は、合成された合体コポリマーにおいての疎水性ポリマーの量によって制御される。
【００５６】
他の代替例は、所定の物質または化学物質へのさらしによって変更される伝導性の特性を有する伝導性の材料を含む第２の部分１４である。所定の物質または化学物質へのさらしによって、ＲＦＩＤ装置の読み取られる特性が変化する。例えば、第２の部分１４は、異なる伝導性材料からなるアンテナ４２を有し得る。その材料の１つは水溶解性（親水性）の材料であり、他の材料は、または、疎水性の材料、あるいは水との接触を防ぐように覆われることによって水不溶解性である。水へのさらしがアンテナ４２の厚みを減らすように、水可溶性材料は、不可溶性の材料の上であり得る。水へのさらしがアンテナ４２の幅を狭めるように、代替的に、水可溶性の材料は、不可溶性の伝導性の材料に隣接し得る。誘発的な出来事の出現後、電気的な特性を変化させられるアンテナ４２を与える多様な他の構成が、得られることは察せられる。
【００５７】
他の代替手段として、ＲＦＩＤ装置１０は、化学的な混合物へのさらしによって分解され、製品の使用中にアクティブになる部分を含み得る。例えば、ＲＦＩＤ装置１０は、装置の起動中に、蛍光性の装置のように破裂させられるバリア上に配置され得る。
【００５８】
特性のそのような変化が可逆性であるような、つまり、検出器の化学的物質へのさらし時に、ＲＦＩＤ装置１０が再生可能であるように、ＲＦＩＤ装置１０を構成することは可能であり得ることは察せられる。例えば、第２の物質へのさらしが、第１の状態へ装置の特性を戻す間、第１の物質へのさらしは、第１の状態から第２の異なった状態に特性を変更する。
【００５９】
可溶性基板の位置、基板の部分、または可溶性の伝導性のリンクの多数の代替手段は、可能である。例えば、可溶性の伝導性の材料は、インターポーザーまたはストラップ２２とＲＦＩＤ装置１０の残りの部分の間の伝導性リンクのために用いられ得る。そのような可溶性の材料の除去は、よって、インターポーザーまたはストラップ２２を電気的に絶縁し得る。他の代替手段として、可溶性の接着剤は、ＲＦＩＤ装置１０の残りの部分と、インターポーザーまたはストラップ２２とを物理的に結合するために、用いられ得る。接着剤の分解は、ＲＦＩＤ装置１０から、インターポーザーまたはストラップ２２を物理的に分離し得る。
【００６０】
ＲＦＩＤ装置１０は、アンテナ以外の可溶性の構造を含み得、その除去は、（適当な溶液との接触によって）ＲＦＩＤ装置１０の機能中の特性を変化し得る。例えば、可溶性の接着剤は、装置１０の一部分（インターポーザーまたはストラップのような）を他の部分（伝導性パターン（アンテナ）を有する基板のような）に付着するために使用され得る。
【００６１】
一以上の可溶性部分を有するＲＦＩＤ装置１０が、通常使用の一部として選択され、またはそうでなければ、適当な溶液と接触するような幅の広い適用において利用され得ることは、察せられる。
【００６２】
図８は、分断線６８に沿って、第１の部分１２から物理的に分離されることによって非働化され得る、物理的分離可能な第２の部分１４を有するＲＦＩＤ装置１０を示す。分断は、切断または引き裂きのような、任意の多様な物理的な分離処理であり得る。分断線６８は、ミシン目、切り目のあるエリアであり得、またはそうでなければ、分断を容易に、および／または分断線６８に沿って所望箇所分断するように構成される。
【００６３】
代替的、または付加的に、分断線６８は、適切な面において分断の位置付けを手助けするために、印刷される線のような明らかなインジケーターに相当し得る。付け加えて、ＲＦＩＤ装置１０は、第１の部分１２から第２の部分１４を物理的に分離するように、言葉および／または記号にて、分断線６８に沿ってＲＦＩＤ装置１０を分断するよう、最終的な使用者、または他の人に忠告する指示を有し得る。例えば、ＲＦＩＤ装置１０は、第２の部分１４が第１の部分から分離される分断線６８を使用者に指す、「ここを切断」と装置上に書かれる指示を有し得る。
【００６４】
分断線６８は、直線として図８に示される。しかしながら、分断線６８は、より幅広く、任意の形の境界であり得る。
【００６５】
図９Ａは、開口縫い目７４、および開口縫い目７４に沿って分断線６８を有するアイテム７０に固定された図８にあるＲＦＩＤ装置１０を示す。開口縫い目７４に沿ってアイテム７０が空けられることによって、ＲＦＩＤ装置１０は、分断線６８に沿って分断され、それによって、第２の部分１４は非働化される。従って、アイテム７０は、中の物を手に入れるのに従来通り容器を開けるために、ＲＦＩＤ装置１０の第２の部分１４の非働化を必要とするように構成される箱、または他の容器であり得る。したがって、消費者は、容器を開けるために切断、引き裂きを必要とされ得、またそうでなければ、ＲＦＩＤ装置の分断、例えば、ＲＦＩＤ装置の広域読み取り能力を不可にすることを必要とされ得る。
【００６６】
アイテム７０は、１以上の物を内部に含む箱、またはホルダーであり得る。代替的に、アイテム７０は、コンパクトディスクを受け取るための開口部を有したコンパクトディスクプレーヤー、または、機能するために開けることを必要とするチョウツガイ付きの携帯電話のような、チョウツガイ付きの、または他の開口可能部分を含む物であり得る。
【００６７】
図９Ｂは、除去可能な蓋７８を有する容器７６の上に、代替的に固定される図８のＲＦＩＤ装置１０を示す。容器７６は、香水または薬を入れるための容器のような、回して開ける、または引いて開ける蓋７８を有する容器であり得る。ＲＦＩＤ装置１０は、装置１０の一部を容器７６の蓋７８に、および装置１０の異なった一部を容器７６の主要部７９に接着させるように、容器７６に接着され、および、装置１０は、装置１０の分断線６８が、蓋７８と主要部７９との交わる場所のあたりになるように、容器７６に関係して構成される。容器７６が、主要部７９から蓋７８を分離することによって開けられた場合、ＲＦＩＤ装置１０は、分断され、それによってＲＦＩＤ装置１０の特性は変更する。例えば、ＲＦＩＤ装置１０が読み取りされ得る距離は、分断によって減少し得る。従って、一度、製品が、容器７６を開けることによって使用されると、ＲＦＩＤ装置１０は、部分的に、または全体的に機能を低下し得、したがって、消費者、または最終的な使用者のプライバシーを保護する。
【００６８】
加えて、図９Ａおよび図９Ｂにて示されるＲＦＩＤ装置１０は、抗不当改変（ａｎｔｉ−ｔａｍｐｅｒｉｎｇ）装置として使用され得る。ＲＦＩＤ装置１０の設置は、ＲＦＩＤ装置１０の機能を変更無しに、アイテム７０、または容器７６を開けるのを防げ得る。従って、アイテム７０または容器７６の販売前の不当改変は、棚、またはレジのような販売場所の一部等の表示ユニットにて固定されるＲＦＩＤリーダーによって、検出可能であり得る。加えて、ＲＦＩＤ装置１０の分断は、小売業者、または消費者のいづれかによって、視覚的に検出し得る。従って、製品の不当改変は、そのように製品の不当改変を容易に検出することによって、妨げられ得る。
【００６９】
図１０〜１２は、ＲＦＩＤ装置が物体に設置され、それによってＲＦＩＤ装置が通常使用時において遭遇する様々なタイプの物理的な力の下にある状況を示す。図１０は、通常使用時において遠心力８２の下にあり得るコンパクトディスク、または遠心機のような物体８０上にあるＲＦＩＤ装置１０を示す。図１１は、使用中に張力９２のもとにある物体９０上の、またはその一部としてのＲＦＩＤ装置１０を示す。物体９０の実施例は、車両の車輪の取り付け中に伸ばされる車両タイヤである。図１２は、通常使用中の研磨的な力、または他の装用中の力の下にある靴１００のような物体上のＲＦＩＤ装置を示す。図１０〜１２にて示される全てのこのような構成にて、ＲＦＩＤ装置１０は、第１の部分１２が多様な物理的な力によってあまり影響を受けず、またはまったく影響を受けない間、第２の部分１４は、物体８０，９０、および１００の使用にて遭遇する物理的な力によって変化するように構成され得る。
【００７０】
図１３Ａに関して、装置１０は、強度を提供するため、またはそうでなければ、物理的な力によってのダメージ、または他の変質から少なくとも第１の部分１２を保護することを助けるために、少なくとも第１の部分１２の強化コーティング１１０を有し得る。
【００７１】
図１３Ｂは、伸ばすことによって変更可能な電気的な特性を有するＲＦＩＤ装置１０の一部分１１１を示す。部分１１０は、基板１１２を有し、その上に伝導性トレース１１４を有する。伝導性トレース１１４は、アンテナの一部、または他の電気的な接続であり得る。基板１１２は、伝導性インクトレースのような伝導性トレースを支える任意の多様な適切な材料であり得、および、伝導性トレースの電気的な特性の変更を可能にするように十分に伸ばすことが可能な任意の多様な適切な材料であり得る。適切な基板材料の１つの大きなカテゴリーは、厚さ約２５から２００μｍ（ミクロン）を有するような、未配向（ｕｎｏｒｉｅｎｔｅｄ）ポリオレフィンである。基板１１４の適切な材料の他の例は、適切な紙層である。伝導性１１４は、基板１１２上に印刷されるシルバー・インクトレースであり得る。部分１１０が伸ばされない状態にある場合、伝導性トレース１１４の電気的抵抗は、数オームであり得る。
【００７２】
基板１１２が（弾性的に）若干伸ばされる場合、伝導性トレース１１４の抵抗は、ほぼ不変であり得る。しかしながら、一度、基板材料の弾性限度を超え、基板１１２が大幅に変形する場合、伝導性トレース１１４の抵抗は、急激に、戻ることなく増加する。基板１１２に刻み目、またはミシン目１１６のようなわずかな部分を挿入することは、張力を集中させ得、伝導性トレース１１４の抵抗の変化を制御、および／または強め得る。
【００７３】
さて、図１４に注意を注ぎ、ＲＦＩＤ装置１０は、電気的な出来事の出現によって第２の部分１４が非働化、または変化されるように構成され得る。例えば、ＲＦＩＤ装置１０は、物体１３０の回路網１４０の機能が、第２の部分１４を非働化、またはそうでなければ、第２の部分１４の機能を変更させるように、ＲＦＩＤ装置１０の第２の部分１４の全体、または一部を介して、電力を通すような電気的装置、物体１３０に結合され得る。例えば、第２の部分１４を介す電流の通過は、第２の部分１４上のアンテナ４２の全体、または一部を燃焼させ得る。
【００７４】
広く多様な電気的な機能は、第２の部分１４を非働化するために、またはそうでなければ、第２の部分１４の機能を変更するために用いられ得る。図１５〜２０は、電気的な出来事の出現によって、非働化され得る、または変化された機能中の特性を有し得るＲＦＩＤ装置１０のいくつかの実施例を示す。図１５は、電力が電源１５０によってアンテナに供給される場合、開回路になる可融性部分１４６を有するアンテナ要素１４４を含むアンテナ１４２を有する装置１０を示す。電源１５０は、ＲＦＩＤ装置１０が結合する、またはＲＦＩＤ装置１０が組み入れられる物体の機能によって、アンテナ１４２に伝達される電力を表し得る。物体は、例えば任意の広く多様な電気的装置であり得る。
【００７５】
電源１５０は、所望の特性を有する伝導性トレースであるＲＦチョーク１５４によって、アンテナ１４２の要素と結合され得る。アンテナ要素１４４は、ＲＦＩＤチップ（トランスポータ）１５６と結合され得、また、バイパスインダクタ１６０によってアンテナ要素１４４はリンクされ得、それによってＲＦＩＤチップ１５６周辺の要素１４４はリンクされる。
【００７６】
一度、電力が、物体の機能等の電源１５０によってアンテナ要素１４４に供給されると、アンテナ１４２の可融性部分１４６は、融かされ、またはそうでなければ、開回路となる。これは、ＲＦＩＤ装置１０の特性と変化し、アンテナ１４４の少なくとも部分からＲＦＩＤチップ１５６を分離する。
【００７７】
上記されるよう、電源１５０は、電気回路の機能が開始される場合にＲＦチョーク１５４にＤＣ電圧が直接、自動的に印加される物体の電源、または電源装置であり得る。広く多様な代替物が電源１５０として可能であることは察せられる。例えば、電源１５０は、使用者がＲＦＩＤ装置へ電力を与えるか否かの選択権を与えられ得るように、スイッチ付きの供給源であり得る。電源１５０は、使用者側制御のスイッチ付き電源であり得る。例えば、図１６に示されるように、ＲＦＩＤ装置１０は、コンピュータ制御下のコンピュータ１６２のポート１６１に結合され得る。使用者がまずコンピュータ１６２を起動する場合、使用者は、ＲＦＩＤ装置１０を非働化するために、またはＲＦＩＤ装置１０の読み取り能力を低下するために、ＲＦＩＤ装置１０への電力を与えるか否かの選択が与えられる。この選択は、ＲＦＩＤ装置１０の全機能を使用可能に残しておくことによって、ＲＦＩＤ装置１０の読み取り能力の強化を維持することを使用者に許す。これは、例えば、ノート型パソコンのような頻繁に盗難されるアイテムの追跡、および識別を可能にするので、団体、または他の使用者にとって、望まれ得る。
【００７８】
図１７は、電源１５０からの電力がＲＦＩＤチップ１５６に直接印加されるＲＦＩＤ装置１０の構成を示す。電力が電源１５０からＲＦＩＤチップ１５６に供給される場合、ＲＦＩＤチップ１５６の一部、または全ての機能は、無効にされ得る。
【００７９】
電源１５０は、ＲＦＩＤチップ１５６の機能を変更、または無効にするために、適当な電圧および電流を提供するように構成され得る。例えば、電源１５０は、電気または電子装置の内部の構成部分を可動するのに用いられる１２−ボルト電源であり得る。代替的に、電源１５０は、電話やコンピュータの電気蛍光発光バックライトを点灯するのに用いられる数百ボルトの電圧のような、高いボルトを提供し得る。
【００８０】
図１８に示される他の代替手段に従って、ＲＦＩＤ装置１０のＲＦＩＤチップ１５６は、携帯電話１７０のアンテナ１４２に結合され得る。携帯電話１７０の使用前に、チップ１５６は、アンテナ１４２を介してＲＦＩＤ読取装置と広域コミュニケーションを交わし得る。しかしながら、アンテナ１４２へ携帯電話１７０の電源１５０の比較的大きなＲＦ電力を印加することは、ＲＦＩＤチップ１５６の機能を不可能、または変更し得、よって、広域のＲＦＩＤチップ１５６の読み取り能力を不可能にする。代替手段として、ＲＤＩＦ装置１０は、図１５の装置に関して上記した処理と同様に、携帯電話からの高ＲＦ電力の適用が可融性リンクを不可動にするよう、構成され得る。
【００８１】
図１９は、電池式装置１８０の通常機能中にて機能を変化、または止めるために構成されるＲＦＩＤ装置１０の機能を弱める、または無効にすること無しに電池式電気装置、または電子装置１８０のテストを可能にする構成を示す。電池入れ、または電池ホルダー１８２は、電池１９０の１つの極１８８に結合可能な対の第１の接触部１８４および１８６、かつ、電池１９０の反対側極１９６に結合可能な第２の接触部１９４を提供する。通常機能状態において、片方の第１の接触部１８４、および第２の接触部１９４は、装置１９８へ電力を提供するために電気または電子装置１９８に結合される。そのような電気または電子装置の実施例は、ラジオ、ＣＤプレーヤー、およびデジタルカメラを含む。他方の第１の接触部１８６、および第２の接触部１９４は、ＲＦＩＤ装置１０を使用不可、またはＲＦＩＤ装置の機能特性を変更するために、ＲＦＩＤ装置１０のアンテナ１４２と結合される。ＲＦＩＤ装置の特性のこの変化は、図１５および図１７にて示す実施形態に関して上記された方法を用いて成し遂げられ得る。従って、電池ホルダー１８２内の電池１９０の設置は、ＲＦＩＤ装置１０の機能を変更、または無効にする。
【００８２】
それでもなお、ＲＦＩＤ装置１０の機能を変更しない状態に保つ間、電気または電子装置１９８の機能をテストすることが望まれ得ることは、察せられる。これは、ＲＦＩＤ装置１０と結合する第１の接触部１８６への電池１９０の接続を、何らかの方法にてブロックすることによって成し遂げられ得る。これを行う１つの方法は、電気または電子装置１９８のテスト用に、第１の接触部１８６に接続されるポールを有さない特別な電池を使用することである。ＲＦＩＤ装置１０の早期起動非働化を防ぐための他の方法は、ＲＦＩＤ装置１０に結合される電池１９０のポール１８８と第１の接触部１８６間の接触を防ぐために、テスト中にて電池１９０上、または電池ホルダー１８２上に置かれる特別なアダプターを提供する事である。
【００８３】
図２０は、小（ｌｏｗ）電流電源２１０によって起動するように構成されるセミパッシブＲＦＩＤ装置１０を示す。そのような小電流電源２１０は、大（ｈｉｇｈ）電流主要電源２２０が切断された状態の場合ですらも、リアルタイムクロックを維持するため、または他の構成部分の動作を維持するための装置内においての電源であり得る。主要電源２２０は、主要電源２２０が起動中の場合、ＲＦＩＤ装置１０の機能を非働化する、または変更するためにＲＦＩＤ装置１０とも結合される。この機能の変更は、主要電源２２０がＲＦＩＤ装置１０のアンテナ１４２と結合される箇所と、アンテナ１４２が電気システムアース２２６と結合される箇所との間の可融性リンク２２２に起し得る。低電流電源２１０は、ＲＦチョーク部２３０を介してアンテナ１４２と結合される。主要電源２２０は、ＲＦチョーク部２３２を介してアンテナ１４２と結合される。システムアース２２６は、ＲＦチョーク部２３４を介してアンテナ１４２と結合される。
【００８４】
セミパッシブＲＦＩＤ装置１０は、電力のために整流されたＲＦ信号に頼るパッシブＲＦＩＤ装置に比べ、広域を有し得る。そのようなセミパッシブ装置の検出範囲は、パッシブ装置の５倍までになり得る。
【００８５】
化学的、物理的、または電気的な処理によって変更または非働化され得る非働化可能、または変更可能部分を有するここにて開示される様々なタイプのＲＦＩＤ装置は、アイテムの販売、またはアイテムの他の移動に関る出来事によって、および／または、アイテムの通常の予期される使用に関する出来事によって、ＲＦＩＤ装置が変更、または非働化されるという一般的なコンセプトによって、全て関連され得る。従って、衣服は洗濯されることを、品物が入る容器は開けられることを、車輌タイヤはタイヤ固定中にのばされることを、電気装置は起動されることを、そして、一足の靴は片方と共に履かれることを予期する。上記のように、ＲＦＩＤ装置は、多様な仕組みを介して、各々のリストされた状況において変更可能な特性を提供するよう構成され得る。
【００８６】
本発明は、特定の好まれた実施形態に関連付けて示され、記載されたが、この明細書および添付図を読むことおよび理解することによって当業者にとって、均等の変更および修正は明らかである。特に、上記の要素（構成部分、組み立て部品、装置、構成等）によって、機能する多様な機能に関して、ここにて示された本発明の実施例、または実施形態にて、機能を機能する開示された構成と構成面にて均等でない場合においても、その要素を記載するにあたって用いられた上記の用語（「手段（ｍｅａｎｓ）」の参照を含む）は、所望の要素の特定の機能を機能する任意の要素に対応し（つまり、機能面では均等である）、そうでなければ示される。加えて、本発明に特定の特徴が１つのみ、または１つ以上の示された実施形態に関連して上記される一方、そのような特徴は、任意の与えられた、または特定の適用のために望まれ得、有効であり得るよう、他の実施形態の１以上の特徴を組み合わされ得る。
【図１５】
2010257478.tif 000003
【図１６】
2010257478.tif 000004
【図１７】
2010257478.tif 000005
【図１８】
2010257478.tif 000006
【図２０】
2010257478.tif 000007
【図１】
2010257478.tif 000008
【図２】
2010257478.tif 000009
【図３】
2010257478.tif 000010
【図４】
2010257478.tif 000011
【図５】
2010257478.tif 000012
【図６】
2010257478.tif 000013
【図７】
2010257478.tif 000014
【図８】
2010257478.tif 000015
【図９Ａ】
2010257478.tif 000016
【図９Ｂ】
2010257478.tif 000017
【図１０】
2010257478.tif 000018
【図１１】
2010257478.tif 000019
【図１２】
2010257478.tif 000020
【図１３Ａ】
2010257478.tif 000021
【図１３Ｂ】
2010257478.tif 000022
【図１４】
2010257478.tif 000023
【図１９】
2010257478.tif 000024